(57)【要約】【課題】電力消費量を少なくできる複数セグメント受信可能なディジタル音声放送受信装置を提供する。【解決手段】チューナモジュール２２は、受信する音声ディジタル放送が３セグメント放送であっても、一つの基本セグメント（Ａ階層）だけを受信し、この基本セグメントのトランスポートストリームから得られる情報に基づいてＥＰＧ画面表示を行う。ユーザが要求する番組が他のセグメント（Ｂ階層）に存在する場合には、Ｂ階層についても復調処理を実行してトランスポートストリームを生成し、Ｂ階層の番組を提供する。【選択図】図１
2008022084.tif 000002
【特許請求の範囲】
【請求項１】
複数セグメントからなるディジタル音声放送を受信する受信部と、受信した放送を復調してトランスポートストリームを出力する復調部と、前記トランスポートストリームから指定されたデータを分離する分離部と、分離されたデータに基づいて音声出力する音声出力部と、基本的には前記複数セグメントのうちの１セグメントを復調する一方、当該１セグメントのトランスポートストリーム内に存在しないサービスの提供を要求されたときには他のセグメント或いは前記複数セグメントの全てを前記復調部に復調させる制御手段と、を備えたことを特徴とするディジタル音声放送受信装置。
【請求項２】
請求項１に記載のディジタル音声放送受信装置において、前記１セグメントのトランスポートストリームから得られる付属情報に基づいて当該１セグメントの放送におけるサービス名及びイベント名を取得するとともに、前記他のセグメントの放送におけるサービス名を取得し、これらサービス名及びイベント名を表記したＥＰＧ画面を表示するＥＰＧ表示手段を備えたことを特徴とするディジタル音声放送受信装置。
【請求項３】
請求項２に記載のディジタル音声放送受信装置において、前記制御手段は、前記他のセグメントの放送におけるサービス名がＥＰＧ画面上でユーザによって選択されたときに、前記他のセグメント或いは前記複数セグメントの全てを前記復調部に復調させることを特徴とするディジタル音声放送受信装置。
【請求項４】
請求項２又は請求項３に記載のディジタル音声放送受信装置において、前記ＥＰＧ表示手段は、前記サービス名及び／又はイベント名がどのセグメントに存在しているかを示す情報を前記ＥＰＧ画面に付加することを特徴とするディジタル音声放送受信装置。
【請求項５】
請求項２乃至請求項４のいずれかに記載のディジタル音声放送受信装置において、前記ＥＰＧ表示手段は、前記サービス名及び／又はイベント名が異なるセグメントに存在していることをユーザに理解させるべく、異なるセグメントのサービス名及び／又はイベント名を、互いに表示態様を異ならせて表示することを特徴とするディジタル音声放送受信装置。
【請求項６】
請求項１乃至請求項５のいずれかに記載のディジタル音声放送受信装置において、強階層である前記１セグメントの放送の受信状態が所定のレベル以下である場合に、弱階層である前記他のセグメントの放送が受信できない可能性があることを示すメッセージを表示するか、当該他のセグメントの放送におけるサービス名の表示を行わないか、又は、当該他のセグメントの放送におけるサービス名を表記すべき箇所に当該放送が受信できない可能性があることを示す記号を表示することを特徴とするディジタル音声放送受信装置。
【請求項７】
請求項１乃至請求項５のいずれかに記載のディジタル音声放送受信装置において、強階層である前記１セグメントの放送の受信状態が所定のレベル以下である場合に、弱階層である前記他のセグメントの放送を受信しないか、又は受信するにしても前記他のセグメントの放送が受信できない可能性があることを示すメッセージの表示の後に受信することを特徴とするディジタル音声放送受信装置。
【発明の詳細な説明】
【技術分野】
【０００１】
この発明は、ディジタル音声放送を受信するディジタル音声放送受信装置に関する。
【背景技術】
【０００２】
地上ディジタル音声放送では、一本のトランスポートストリーム（ＴＳ）を用いて複数のサービスを提供することが可能である。そして、地上ディジタル音声放送では、１セグメント放送の他に、３セグメントを使用した放送も存在している（特許文献１参照）。従来のディジタル音声放送受信装置においては、３セグメント放送を受信するときには、これら３セグメントの全てを受信して処理するようにしていた。
【特許文献１】特開２００３−１０１９０２号公報
【発明の開示】
【発明が解決しようとする課題】
【０００３】
しかしながら、上記従来のディジタル音声放送受信装置では、３セグメントのうちの一つのセグメント（基本セグメント：Ａ階層）のサービスを聴取していて他のセグメント（Ｂ階層）内の情報取得が必要でない場合にも、かかる他のセグメントを受信することになるため、電力消費量が多くなってしまうという欠点がある。
【０００４】
この発明は、上記事情に鑑み、電力消費量を少なくできる複数セグメント受信可能なディジタル音声放送受信装置を提供することを目的とする。
【課題を解決するための手段】
【０００５】
この発明のディジタル音声放送受信装置は、上記の課題を解決するために、複数セグメントからなるディジタル音声放送を受信する受信部と、受信した放送を復調してトランスポートストリームを出力する復調部と、前記トランスポートストリームから指定されたデータを分離する分離部と、分離されたデータに基づいて音声出力する音声出力部と、基本的には前記複数セグメントのうちの１セグメントを復調する一方、当該１セグメントのトランスポートストリーム内に存在しないサービスの提供を要求されたときには他のセグメント或いは前記複数セグメントの全てを前記復調部に復調させる制御手段と、を備えたことを特徴とする。
【０００６】
上記の構成であれば、複数セグメントによるディジタル音声放送の受信において基本的には前記複数セグメントのうちの１セグメントを復調するから、電力消費量を少なくできる。
【０００７】
上記構成のディジタル音声放送受信装置において、前記１セグメントのトランスポートストリームから得られる付属情報に基づいて当該１セグメントの放送におけるサービス名及びイベント名を取得するとともに、前記他のセグメントの放送におけるサービス名を取得し、これらサービス名及びイベント名を表記したＥＰＧ画面を表示するＥＰＧ表示手段を備えてもよい。かかる構成において、前記制御手段は、前記他のセグメントの放送におけるサービス名がＥＰＧ画面上でユーザによって選択されたときに、前記他のセグメント或いは前記複数セグメントの全てを前記復調部に復調させることとしてもよい。
【０００８】
前記ＥＰＧ表示手段は、前記サービス名及び／又はイベント名がどのセグメントに存在しているかを示す情報を前記ＥＰＧ画面に付加することとしてもよい。或いは、前記ＥＰＧ表示手段は、前記サービス名及び／又はイベント名が異なるセグメントに存在していることをユーザに理解させるべく、異なるセグメントのサービス名及び／又はイベント名を、互いに表示態様を異ならせて表示することとしてもよい。
【０００９】
これら構成において、強階層である前記１セグメントの放送の受信状態が所定のレベル以下である場合に、弱階層である前記他のセグメントの放送が受信できない可能性があることを示すメッセージを表示するか、当該他のセグメントの放送におけるサービス名の表示を行わないか、又は、当該他のセグメントの放送におけるサービス名を表記すべき箇所に当該放送が受信できない可能性があることを示す記号を表示することとしてもよい。
【００１０】
或いは、これら構成において、強階層である前記１セグメントの放送の受信状態が所定のレベル以下である場合に、弱階層である前記他のセグメントの放送を受信しないか、又は受信するにしても前記他のセグメントの放送が受信できない可能性があることを示すメッセージの表示の後に受信することとしてもよい。
【発明の効果】
【００１１】
この発明によれば、電力消費量を少なくできる複数セグメント受信可能なディジタル音声放送受信装置を提供できるという効果を奏する。
【発明を実施するための最良の形態】
【００１２】
以下、この発明の実施形態のディジタル音声放送受信装置を図１乃至図４に基づいて説明する。
【００１３】
図１はこの発明の実施形態のディジタル音声放送受信装置１０を示したブロック図である。地上波用のアンテナ２１は、受信した電波信号を地上波ディジタルチューナモジュール２２に与える。チューナモジュール２２の選局部（周波数選択部）は、音声データを含む高周波ディジタル変調信号のうちから特定周波数の信号を取り出す。また、チューナモジュール２２は、ＯＦＤＭ（直交周波数多重方式）復調回路、逆インタリーブ回路、誤り訂正回路などを備え、選択したディジタル変調信号を復調してトランスポートストリームを生成し、このトランスポートストリームをデマルチプレクサ（ＤＥＭＵＸ）２３に与える。
【００１４】
デマルチプレクサ（ＤＥＭＵＸ）２３は、前記トランスポートストリームをエレメンタリストリーム（ＥＳ）であるオーディオデータトランスポートストリーム（ＡＤＴＳ）、データ放送データ及び、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ３は、ユーザが選択したオーディオストリームを音声デコーダ（ＡＡＣデコーダ）２７に供給し、ＰＳＩ／ＳＩをＰＳＩ／ＳＩ処理部３０に供給する。
【００１５】
ＰＳＩ／ＳＩ処理部３０は、ＰＳＩ／ＳＩから取得したＳＤＴ（service description table)，ＥＩＴ（event information table ) などの情報をＣＰＵ１に与え、ＣＰＵ１はこれら情報をメモリ３に格納する。また、データ放送データはデータデコーダ２４に供給され、データデコーダ２４から出力される文字等はドライバ２５によってＬＣＤパネル（液晶表示パネル）２６に表示される。なお、ＣＰＵ１のグラフィック機能（ＯＳＤ機能）により、ＬＣＤパネル２６にメニュー画面、電子番組ガイドであるＥＰＧ画面（音楽選択画面）などを表示することもできる。また、静止画像や簡易動画像などを受信したときにも、前記ＬＣＤパネル２６に画像表示することができる。
【００１６】
操作キー部２には、電源ＯＮ／ＯＦＦキー、チャンネル選択キー、音量調整キー、十字キー（方向キー）、決定キー等が設けられる。なお、放送受信装置１０がディジタルラジオ機能付き携帯電話として構成される場合、主として電話に関するキーが配置され、ラジオはメニュー画面上で選択する構成となったり、数字キーを電話番号入力やチャンネル選択に共用する構成となったり、十字キー（方向キー）を機能選択キーやチャンネルアップダウンキーとして共用する構成となったりする場合がある。
【００１７】
メモリ（ＲＡＭ、ＲＯＭ、フラッシュメモリなど）３には、各種の動作プログラム、前記ＰＳＩ／ＳＩから取得された情報などが格納される。
【００１８】
前記音声デコーダ２７は、ＡＤＴＳを復号して音声データを生成する。音声データのヘッダには、音声を出力するタイミングを規定するプレゼンテーションタイムスタンプ（ＰＴＳ）が存在しており、前記ＰＴＳにより、音声データの提示タイミングを判断することができる。音声データはＤ／Ａ変換部２８によってアナログの音声信号に変換され、この音声信号はスピーカ２９或いはヘッドホンなどに供給される。
【００１９】
トランスポートストリーム（ＴＳ）は、複数の音声サービスを含んでいる。サービスの内容がどのようであるかは、前記ＰＳＩ／ＳＩに基づいて知ることができる。例えば、ＰＳＩ／ＳＩのＮＩＴに配置されたＴＳ情報記述子は、ＴＳ内の全てのサービスのサービス識別と、サービスを放送している階層を記述しているので、ＣＰＵ１は、ＴＳ内の全てのサービスのサービス識別と、サービスを放送している階層を取得することができる。また、ＣＰＵ１は、ＰＳＩ／ＳＩのＳＤＴに記述されているサービス名を取得することができる。ＳＤＴではサービスの数だけループが構成され、サービスごとに配置されたサービス記述子にサービス名が記述されている。サービス識別が一致したループに配置されたサービス記述子により、ＣＰＵ１はサービス名を取得することができる。
【００２０】
ところで、地上ディジタル音声放送が３セグメントで放送される場合、チューナモジュール２２（ＣＰＵ１）は、ＴＭＣＣ（transmission and multiplexing configration control）に基づいて受信放送が３セグメント放送であるのかどうかを判断することできる。チューナモジュール２２は、３セグメント放送の復調処理を行うことができるのであるが、受信した音声ディジタル放送が３セグメント放送である場合でも、基本セグメントであるＡ階層（３セグメントのなかの真ん中のセグメント）だけを復調処理することを基本とする。Ａ階層だを復調処理する場合、チューナモジュール２２から出力されるトランスポートストリームは、基本セグメントに配置されている情報のみからなる。なお、Ａ階層の両隣の階層（セグメント）はＢ階層と言われている。
【００２１】
前記基本セグメントのトランスポートストリーム内のＰＳＩ／ＳＩは、デマルチプレクサ２３によって分離されてＰＳＩ／ＳＩ処理部３０に供給されることになる。先述したごとく、ＰＳＩ／ＳＩのＮＩＴに配置されたＴＳ情報記述子は、ＴＳ内の全てのサービスのサービス識別と、サービスを放送している階層を記述しているので、ＣＰＵ１は、ＴＳ内の全てのサービスのサービス識別と、サービスを放送している階層を取得することができる。また、先述したごとく、ＣＰＵ１は、前記ＰＳＩ／ＳＩのＳＤＴに記述されているサービス名を取得することができる。
【００２２】
次に、ＣＰＵ１は、ＰＳＩ／ＳＩ処理部３０からＥＩＴに記述されているイベント名を取得する。ただし、Ｂ階層で放送されているサービスのイベント名はＢ階層に存在するＭ−ＥＩＴに記述されているため、Ｂ階層で放送されているサービスのイベント名は取得できない。すなわち、前記基本セグメント（Ａ階層）のトランスポートストリーム内から取得できるイベント名は、Ａ階層で放送されているサービスのイベント名だけである。イベント名はＥＩＴの短形式イベント記述子に記述されている。ＥＩＴはサービスごとに配置されるので、サービス識別が一致したＥＩＴのイベント名を取得することができる。ＥＩＴには音声コンポーネント記述子が含まれており、音声についての情報が記述されている。ＣＰＵ１は、後述するごとく、ＥＰＧを作成するが、このＥＰＧにおいて前記音声コンポーネント記述子に含まれている情報（番組の音声数，各音声言語の種別等）を含めてもよい。
【００２３】
上記の処理により、ＣＰＵ１は、Ｂ階層で放送されているサービスのイベント名以外のＥＰＧ情報を取得することができる。ＣＰＵ１は、かかるＥＰＧ情報によって、ＥＰＧ画面を作成し、これをＬＣＤパネル２６に表示する。ＥＰＧ情報の一例を図２に示し、ＥＰＧ画面の一例を図３に示している。この実施例では、ＥＰＧ画面において、Ａ階層のサービス名かＢ階層のサービス名かをユーザが容易に判断できるように、互いの文字の色、大きさ、フォントを異ならせたり、或いは、互いの背景色を異ならせたりしている。図３では、文字の大きさを異ならせている。或いは、Ａ階層のサービス名かＢ階層のサービス名かをユーザが容易に判断できるように、ＥＰＧ画面において、各欄に「Ａ」又は「Ｂ」の表記を行うこととしてもよい（図２参照）。
【００２４】
ユーザは、ＥＰＧ画面上でサービスの一覧を参照することで、受信中のトランスポートストリーム内に聴取を希望するサービスが存在するかどうかを確認することができる。ＥＰＧ画面上に聴取を希望するサービス名或いはイベント名が存在すれば、ユーザは、サービス名或いはイベント名が記述された箇所にカーソルを移動させ、決定キーを押下する。ＣＰＵ１は、決定キーが押下されたときにカーソルが位置している箇所のサービスを取得するべく、デマルチプレクサ２３に指令を与える。ユーザが選択したサービスがＡ階層で放送されているサービスであれば、基本セグメントであるＡ階層（３セグメントのなかの真ん中のセグメント）だけを復調処理する状態を維持しつつユーザが所望する音声を出力することができる。
【００２５】
図４は、ユーザが選択したサービスの取得処理例を示したフローチャートである。まず、ＣＰＵ１は、ユーザが選択したサービスを知得し（ステップＳ１）、当該サービスがＡ階層に存在するのかＢ階層に存在するのかを判断する（ステップＳ２）。Ａ階層に存在するのであれば、この階層を維持し、ステップＳ５に進み、トランスポートストリーム中のＰＭＴ（program map table ）から音声（更には、静止画等）のＰＩＤ（パケットＩＤ）を取得する（ステップＳ５）。一方、ユーザが選択したサービスがＢ階層に存在する場合は、ＣＰＵ１はチューナモジュール２２にＢ階層受信を指令する（ステップＳ３）。Ｂ階層のトランスポートストリーム内のＰＳＩ／ＳＩはデマルチプレクサ２３によって分離されてＰＳＩ／ＳＩ処理部３０で処理されるので、ＣＰＵ１は、Ｂ階層のトランスポートストリーム内のＥＩＴの短形式イベント記述子からイベント名を取得する（ステップＳ４）。そして、ステップＳ５に進んで、ＰＭＴから音声（更には、静止画等）のＰＩＤを取得する。
【００２６】
次に、ＣＰＵ１は、音声（更には、静止画等）のＰＩＤを取得できたかどうかを判断する（ステップＳ５）。失敗したときには、例えば、サービスを提供できない旨のメッセージをＬＣＤパネル２６に表示し、サービスの取得処理を終了する。一方、成功したときには、音声（更には、静止画等）のコンポーネントの出力処理（デコード等）を行う（ステップＳ７）。
【００２７】
ところで、強階層であるＡ階層を受信しているときに、受信状態が悪化する場合が考えられる。受信状態の悪化は、例えば、チューナモジュール２２がパケットエラー（パケット欠落）を監視していれば、ＣＰＵ１がパケットエラー率を知得することで判断することができる。ＣＰＵ１は、パケットエラーの割合が所定の閾値を超えた場合であって、Ｂ階層がＡ階層と異なる伝送方式で伝送されている場合（具体的には、Ｂ階層がＡ階層よりも必要ＣＮ比が高い伝送方式（弱階層）で伝送されている場合）は、Ｂ階層の放送受信は困難と考えられるので、Ｂ階層放送におけるサービス名の表示を行わないか、当該Ｂ階層放送におけるサービス名を表記すべき箇所に、当該放送が受信できない可能性があることを示す記号（×，ＮＧ等）を表示することとしている。また、このような受信状態の悪化の下では、Ｂ階層放送が受信できない可能性がある旨のメッセージをＬＣＤパネル２６に表示してもよい。
【００２８】
また、上記のような受信状態の悪化の下で、ユーザがＢ階層放送の受信を要求したときには、受信処理を実行せずに、Ｂ階層放送が受信できない可能性がある旨のメッセージをＬＣＤパネル２６に表示してもよいし、或いは、Ｂ階層放送が受信できない可能性がある旨のメッセージをＬＣＤパネル２６に表示した上で受信処理を実行し、実行結果をＬＣＤパネル２６に表示することとしてもよい。
【００２９】
以上説明したように、本願発明では、受信放送が３セグメント放送であっても基本セグメント（Ａ階層）を受信することを基本とするため、電力消費量を少なくすることができる。ここで、チューナモジュール２２における選局部については、受信対象となる周波数の幅が異なるだけで電力消費の軽減にはあまり寄与しないが、ＯＦＤＭ復調部及びこのＯＦＤＭ復調部からデマルチプレクサ２３へデータを転送するデータ転送経路においては、１セグメント受信とすることで、データ処理量やデータ転送量を削減することができ、電力消費を軽減することができる。また、デマルチプレクサ２３についても、１セグメント受信とすることで、データ処理量を削減することができ、電力消費を軽減することができる。
【００３０】
また、１セグメント受信とすることによってデータ処理量やデータ転送量を削減できると、迅速なＥＰＧ表示も可能になる。
【００３１】
なお、上記実施例では、ＴＶ視聴機能付き携帯電話を示したが、これに限るものではなく、車載型或いは固定設置型のディジタル音声放送受信装置とすることもできる。
【図面の簡単な説明】
【００３２】
【図１】この発明の実施形態のディジタル音声放送受信装置を示したブロック図である。
【図２】この発明の実施形態のＥＰＧ情報例を示した説明図である。
【図３】この発明の実施形態のＥＰＧ画面例を示した説明図である。
【図４】この発明の実施形態の処理例を示したフローチャートである。
【符号の説明】
【００３３】
１      ＣＰＵ
２      操作キー
３      メモリ
１０    ディジタル音声放送受信装置
２３    デマルチプレクサ
２６    音声デコーダ
３０    ＰＳＩ／ＳＩ処理部
【図１】
2008022084.tif 000003
【図２】
2008022084.tif 000004
【図３】
2008022084.tif 000005
【図４】
2008022084.tif 000006